【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】
双方向通信により室内の空気調和を行う空気調和機本体の運転指示を行う空気調和機用遠隔操作装置において、
前記空気調和機用遠隔操作装置は、前記空気調和機本体の運転状態を表示する表示部を備え、
前記表示部は、前記空気調和機本体を運転させるために設定した情報である、設定室温と設定湿度を表示する設定情報表示部と、前記空気調和機本体が検出する室内環境情報である、室温と湿度を入手して表示する入手情報表示部とを備え、
前記設定情報表示部には、前記空気調和機本体を運転させるために設定した設定室温と設定湿度とがそれぞれ独立して表示され、
前記入手情報表示部には、前記空気調和機本体が検出した室温と湿度とがそれぞれ独立して表示されることを特徴とする空気調和機用遠隔操作装置。
【請求項２】
双方向通信により室内の空気調和を行う空気調和機本体の運転指示を行う空気調和機用遠隔操作装置において、
前記空気調和機用遠隔操作装置は、前記空気調和機本体の運転状態を表示する表示部を備え、
前記表示部は、前記空気調和機本体を運転させるために設定した設定情報である、設定室温と設定湿度を表示する設定情報表示部と、前記空気調和機本体が検出する室内環境情報である、室温と湿度を入手して表示する入手情報表示部とを備え、
前記設定情報表示部は、前記空気調和機本体を運転させるために設定した設定、室温を表示する設定室温表示部と、前記空気調和機本体を運転させるために設定した設定湿度を表示する設定湿度表示部とを備え、
前記入手情報表示部は、前記空気調和機本体により検出された室温を表示する入手室温表示部と、前記空気調和機本体により検出された湿度を表示する入手湿度表示部とを備えていることを特徴とする空気調和機用遠隔操作装置。
【請求項３】
双方向通信により室内の空気調和を行う空気調和機本体の運転指示を行う空気調和機用遠隔操作装置において、
前記遠隔操作装置は、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、
前記空気調和機本体から送信された室内環境情報を受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した情報を表示する設定情報表示部と、前記空気調和機本体が検出する室内環境情報を入手して表示する入手情報表示部とを備え、
前記設定情報表示部には、前記空気調和機本体を運転させるために設定した設定室温と設定湿度とがそれぞれ独立して表示され、
前記指示手段を操作することにより前記空気調和機本体が検出した室温と湿度とを前記受信手段で受信し、受信した室温と湿度とが前記入手情報表示部にそれぞれ独立して表示されることを特徴とする空気調和機用遠隔操作装置。
【請求項４】
双方向通信により室内の空気調和を行う空気調和機本体の運転指示を行う空気調和機用遠隔操作装置において、
前記遠隔操作装置は、室温の制御を行う室温制御手段と、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記空気調和機本体から送信された室内環境情報を受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した設定情報である、設定室温と設定湿度を表示する設定情報表示部と、前記空気調和機本体が検出する室内環境情報である、室温と湿度を入手して表示する入手情報表示部とを備え、
前記設定情報表示部は、前記空気調和機本体を運転させるために設定した設定室温を表示する設定室温表示部と、前記空気調和機本体を運転させるために設定した設定湿度を表示する設定湿度表示部とを備え、
前記指示手段を操作することにより前記空気調和機本体が検出した室温と湿度とを前記受信手段で受信し、受信した室温と湿度とが前記入手情報表示部にされ、
前記入手情報表示部は、前記空気調和機本体が検出した室温を表示する入手室温表示部と、前記空気調和機本体が検出した湿度を表示する入手湿度表示部とを備えている
ことを特徴とする空気調和機用遠隔操作装置。
【請求項５】
請求項１から請求項４のいずれか１つに記載の空気調和機用遠隔操作装置において、
前記設定情報表示部は、前記空気調和機本体を運転させるために設定した設定室温と設定湿度とを左右に分けて表示するように構成され、
前記入手情報表示部は、前記空気調和機本体が検出した室温と湿度を左右に分けて表示する
ことを特徴とする空気調和機用遠隔操作装置。
【請求項６】
請求項１から請求項５のいずれか１つに記載の空気調和機用遠隔操作装置において、
前記設定情報表示部および前記入手情報表示部に表示される室温の情報は、前記空気調和機用遠隔操作装置の長手方向を中心としてその左側に表示され、
前記設定情報表示部および前記入手情報表示部に表示される湿度の情報は、前記空気調和機用遠隔操作装置の長手方向を中心としてその右側に表示される
ことを特徴とする空気調和機用遠隔操作装置。
【請求項７】
請求項１から請求項６のいずれか１つに記載の空気調和機用遠隔操作装置において、
前記設定情報表示部には、前記空気調和機本体の運転モードと、前記空気調和機本体から吹き出される風量とが表示される
ことを特徴とする空気調和機用遠隔操作装置。
【請求項８】
請求項３または請求項４に記載の空気調和機用遠隔操作装置において、
前記指示手段を操作することにより、前記入手情報表示部に外気温が表示される
ことを特徴とする空気調和機用遠隔操作装置。
【請求項９】
室内の空気調和を行う空気調和機本体と、前記空気調和機本体の運転を指示する遠隔操作装置とを備え、前記室内機と前記遠隔操作装置との間で双方向通信を行う空気調和システムにおいて、
前記空気調和機用遠隔操作装置は、室温の制御を行う室温制御手段と、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記室内機から送信されたを受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した情報である、設定室温と設定湿度を表示する設定情報表示部と、前記空気調和機本体が検出する室内環境情報である、室温と湿度を入手して表示する入手情報表示部とを備え、
前記設定情報表示部には、前記空気調和機本体を運転させるために設定した設定室温と設定湿度とがそれぞれ独立して表示され、
前記指示手段を操作することにより前記空気調和機本体が検出した室温と湿度とを前記受信手段で受信し、受信した室温と湿度とが前記入手情報表示部にそれぞれ独立して表示され、
前記設定情報表示部に表示される設定湿度と前記入手情報表示部に表示される湿度とは、それぞれ縦方向に並んで表示され、
前記設定情報表示部に表示される設定室温と前記入手情報表示部に表示される室温とは、それぞれ縦方向に並んで表示され、
前記空気調和機本体は、その運転状態を表示する運転状態表示部を備え、
前記運転状態表示部は、前記空気調和機本体の冷暖房運転状態を表示する冷暖房運転表示部と、前記空気調和機本体の除湿運転状態を表示する除湿運転表示部とを備え、
前記冷暖房運転表示部と前記除湿運転表示部は、前記設定情報表示部および前記入手情報表示部に縦方向に並んで表示された室温と湿度に対応して設けられて
いることを特徴とする空気調和システム。
【請求項１０】
室内の空気調和を行う空気調和機本体と、前記空気調和機本体の運転を指示する遠隔操作装置とを備え、前記室内機と前記遠隔操作装置との間で双方向通信を行う空気調和システムにおいて、
前記空気調和機用遠隔操作装置は、室温の制御を行う室温制御手段と、湿度の制御を行う湿度制御手段と、前記空気調和機本体に冷暖房運転を指示する冷暖房運転指示手段と、前記空気調和機本体に除湿運転を指示する除湿運転指示手段と、前記冷暖房運転指示手段あるいは前記除湿運転指示手段により指示された運転信号を前記空気調和機本体に送信する送信手段と、前記室内機から送信されたを受信する受信手段と、前記空気調和機本体の運転状態を表示する表示部と、前記空気調和機本体から室内環境情報を送信させる指示を行う指示手段とを備え、
前記表示部は、前記空気調和機本体を運転させるために設定した設定情報である、設定室温と設定湿度を表示する設定情報表示部と、前記空気調和機本体が検出する室内環境情報である、室温と湿度を入手して表示する入手情報表示部とを備え、
前記設定情報表示部は、前記空気調和機本体を運転させるために設定した設定室温を表示する設定室温表示部と、前記空気調和機本体を運転させるために設定した設定湿度を表示する設定湿度表示部とを備え、
前記指示手段を操作することにより前記空気調和機本体が検出した室温と湿度とを前記受信手段で受信し、受信した室温と湿度とが前記入手情報表示部にされ、
前記入手情報表示部は、前記空気調和機本体が検出した室温を表示する入手室温表示部と、前記空気調和機本体が検出した湿度を表示する入手湿度表示部とを備え、
前記設定湿度表示部に表示される設定湿度と前記入手湿度表示部に表示される湿度とは、それぞれ縦方向に並んで表示され、
前記設定室温表示部に表示される設定室温と前記入手室温表示部に表示される室温とは、それぞれ縦方向に並んで表示され、
前記空気調和機本体は、その運転状態を表示する運転状態表示部を備え、
前記運転状態表示部は、前記空気調和機本体の冷暖房運転状態を表示する冷暖房運転表示部と、前記空気調和機本体の除湿運転状態を表示する除湿運転表示部とを備え、
前記冷暖房運転表示部と前記除湿運転表示部は、前記設定湿度表示部および前記入手湿度表示部に縦方向に並んで表示された湿度と前記設定室温表示部および前記入手室温表示部に縦方向に並んで表示された室温とに対応して設けられている
ことを特徴とする空気調和システム。
【請求項１１】
請求項９または請求項１０に記載の空気調和システムにおいて、
前記設定情報表示部および前記入手情報表示部に表示される室温の情報は、前記空気調和機用遠隔操作装置の長手方向を中心としてその左側に表示され、
前記設定情報表示部および前記入手情報表示部に表示される湿度の情報は、前記空気調和機用遠隔操作装置の長手方向を中心としてその右側に表示され、
前記冷暖房運転表示部は、前記空気調和機本体の短手方向を中心にしてその左側に配置され、
前記除湿運転表示部は、前記空気調和機本体の短手方向を中心にしてその右側に配置される
ことを特徴とする空気調和システム。